(57)【特許請求の範囲】
【請求項１】
電池を収納する電池収納部を備えた電気機器の電源装置において、
前記電池収納部を開閉する開閉蓋と、
前記電池収納部内に収納可能で、この電池収納部への収納状態にて前記開閉蓋と係合してこの開閉蓋を閉状態に係止する係合部を有するアダプタのプラグと
を具備したことを特徴とする電気機器の電源装置。
【請求項２】
電池を収納する電池収納部を備えた電気機器の電源装置において、
前記電池収納部に収納された電池とは非接触な状態で設けられたスイッチと、
前記電池収納部内に収納可能で、この電池収納部への収納状態にて前記スイッチと当接してこれを作動させる作動部を有するアダプタのプラグと
を具備したことを特徴とする請求項１記載の電気機器の電源装置。
【発明の詳細な説明】
【０００１】
【発明の属する技術分野】
本発明は、開閉蓋を有する電池収納部を備えた電気機器の電源装置に関する。
【０００２】
【従来の技術】
一般に、電子カメラのような小形の電気機器は室内および野外の双方で用いられるため、電源としては室内での商用交流電源および野外でのバッテリ電源の双方に対応できる。
【０００３】
すなわち、図１０および図１１で示すように、電子カメラ11の本体の側部には、野外にて電源として用いるバッテリ12の電池収納部13が形成されており、この電池収納部13の下部には室内にてバッテリ12の消費を気にせず使用できる交流電源用アダプタのプラグ14が差し込まれるジャック15が設けられている。また、電子カメラ11は周辺機器との通信が必要になるので、通信プラグ16が差し込まれるジャック17も設けられる。
【０００４】
しかし、電池収納部13の他に２つのジャック15，17を設けることは小形化された電子カメラ11の本体上では比較的大きなスペースを占めることとなり、全体を小形化、低コスト化するうえで好ましくない。
【０００５】
また、一般に、交流電源用アダプタのプラグ14およびジャック15には、通常出回っている規格品が用いられるため、ジャック15に誤って別の機器用の交流電源用アダプタのプラグが差し込まれてしまうこともある。この場合、別の機器の設定電圧が高かったりすると、電子カメラ11が破壊されてしまうことがある。
【０００６】
また、たとえば特開平２−１３９８８２号および特開平４−９２３８１号には、交流電源用アダプタのプラグの形状を電池収納部の形状に対応させ、この電池収納部内にプラグを収納することで、交流電源用アダプタのプラグに対するジャックを省略する構成が記載されている。
【０００７】
しかし、これら特開平２−１３９８８２号および特開平４−９２３８１号記載の構成では、電池収納部からのアダプタ用プラグの脱落防止手段は特に考慮されていず、プラグが電池収納部から脱落するおそれがある。なお、この種の脱落防止手段としては、プリンタに対してプリンタケーブルを接続する際の脱落防止手段のように、相互に係合する止具部材、たとえばフックとリングなどとを互いに相手側に設ける構造が用いられるが、部品点数が増加するとともに、操作上も止具部材をいちいち係脱しなければならず、作業者に煩雑である。
【０００８】
また、前述の電池収納部の形状に対応させたアダプタ用プラグは同種の電池を使用する機器に対しては汎用性があるが、この汎用性がかえって問題となる。すなわち電子スチルカメラなどの精密電子機器では、機能を十分に発揮させ、かつ、誤動作を防止するなどの観点から、機器毎の特性に対応して規格された専用のアダプタを用いる必要があるが、汎用性により異なった規格のアダプタが接続されてしまうことがある。
【０００９】
さらに、バッテリの形状は一般的に円筒形であり、アダプタ用プラグをそのような形状にした場合は逆装着の可能性があるため、プラグ側と電池収納部側とに係合凹凸部を設けるなどの特別の構成が必要である。
【００１０】
【発明が解決しようとする課題】
上述のように従来技術では、電池収納部の他に交流電源用アダプタのプラグに対するジャックが必要であり機器本体の小形化を困難にしている。また、別の定格のアダプタ用プラグが差し込まれ、電圧の違いなどによって破壊されるおそれもある。さらに、電池収納部に対応する形状のアダプタ用プラグを用いる構成では、このプラグの脱落防止についてなんら考慮されていないため、使用中にプラグが脱落するおそれがある。またさらに、このプラグは同種の電池を使用する機器に対して汎用性があるため、精密電子機器に専用のアダプタ用プラグを設定しても、他のアダプタ用プラグが装着される可能性があり、充分な機器性能が発揮されなかったり、機器破損が生じたりするおそれがあるなどの問題を有している。
【００１１】
本発明は、上記問題点に鑑みなされたもので、アダプタ用プラグに対するジャックを省略することにより小形化が可能であるとともにプラグの脱落を防止でき、さらに同種電池を使用する他の規格のアダプタの適用も容易に排除できる電気機器の電源装置を提供することを目的とする。
【００１２】
【課題を解決するための手段】
請求項１記載の電気機器の電源装置は、電池を収納する電池収納部を備えた電気機器の電源装置において、前記電池収納部を開閉する開閉蓋と、前記電池収納部内に収納可能で、この電池収納部への収納状態にて前記開閉蓋と係合してこの開閉蓋を閉状態に係止する係合部を有するアダプタのプラグとを具備したもので、電池収納部の開閉蓋を閉じてプラグ側に設けた係合部に係合させることにより、開閉蓋を閉状態に係止するとともに、プラグの脱落を防止する。
【００１３】
請求項２記載の電気機器の電源装置は、請求項１記載の電気機器の電源装置において、電池を収納する電池収納部を備えた電気機器の電源装置において、前記電池収納部に収納された電池とは非接触な状態で設けられたスイッチと、前記電池収納部内に収納可能で、この電池収納部への収納状態にて前記スイッチと当接してこれを作動させる作動部を有するアダプタのプラグとを具備したもので、プラグを電池収納部に収納したときに、このプラグに設けた作動部によりスイッチを作動させてプラグが装着されたことを検出するとともに、他の規格のアダプタの排除や逆装着を防止する。
【００１４】
【発明の実施の形態】
以下、本発明の電気機器の電源装置の一実施の形態を図面に示す電子カメラを参照して説明する。なお、図１０および図１１に示す従来例に対応する部分には、同一符号を付して説明する。
【００１５】
図５および図６に示すように、小形の電気機器である電子カメラ11の本体の側部には、野外にて電源として用いる電池であるバッテリ12用の電池収納部23が形成されている。また、この電池収納部23の下部には、図示しない周辺機器との通信用の通信プラグ16が差込まれるジャック17が設けられている。
【００１６】
そして、電池収納部23は、図１ないし図３で示すように、電子カメラ11の本体内部との仕切り壁24と、ヒンジ25によって開閉可能に構成された開閉蓋26とで構成されており、内部には、図３で示すように、円筒形状のバッテリ12が収納される。また、開閉蓋26はバッテリ12を収納した状態にて完全に閉成し、バッテリ12を外部から隔離する。
【００１７】
また、仕切り壁24に穿設した孔24a を介して、作動子28a が電池収納部23の内面に面したスイッチ28が設けられ、電池収納部23内に装着されたバッテリ12の外面とは非接触な状態を維持する。
【００１８】
ここで、バッテリ12は電子カメラ11を野外で用いるときに電池収納部23に装着され、電子カメラ11に電源を供給する。これに対し、電子カメラ11を室内で使用する場合は、バッテリ12の消費を気にせずに使用できる図示しない交流電源用アダプタが用いられる。この交流電源用アダプタからはプラグを先端に有する電源線32によって電子カメラ11に電源が供給される。
【００１９】
また、図６および図７に示すように、プラグ31は電池収納部23内に収納可能な形状に形成されており、電源線32を介して図示しない交流電源用アダプタと接続されている。そして、電池収納部23への装着時に、電池収納部23に設けられた図示しない電池接触端子と接触して電子カメラ11に電源を供給する。
【００２０】
さらに、図１に示すように、プラグ31の外面には作動部としての突部33が形成され、この突部33はプラグ31を正しい向き、すなわちプラグ31側の電極端子と電池収納部23側の電池接触端子との極性が一致する向きで電池収納部23に装着した際に、突部33が孔24a を挿通してスイッチ28の作動子28a と当接するように設けられており、この当接によりスイッチ28を作動させる。なお、この突部33と孔24a およびスイッチ28との位置は、図６および図７で示すように上下方向に偏位させるとともに互いに対応する機器とアダプタ毎に独自の位置に設ける。
【００２１】
このように構成すると、プラグ31の電池収納部23に対する逆装着を防止できるとともに、同種のバッテリを用いる他の機器用の規格の異なるプラグの装着を確実に排除できる。
【００２２】
また、プラグ31は電源線32との接続部35を有するため、このプラグ31を電池収納部23に装着した際、開閉蓋26を図３のように完全に閉成できない。そこで、図１および図２で示すように、接続部35の外面に、突起状の係合部36を設け、図１で示すように開閉蓋26の端部を係止するように構成する。すなわち、開閉蓋26に樹脂などの弾性のある材質を用いることにより、開閉蓋26の端部を係合部36に対して弾性的に係止する。
【００２３】
このように、開閉蓋26の端部を、プラグ31と電源線32との接続部35に設けた係合部36によって係止し、開閉蓋26を閉状態とすることにより、プラグ31の電池収納部23からの脱落を防止する。
【００２４】
次に、上記実施の形態の動作について説明する。
【００２５】
まず、電子カメラ11を野外で使用するときは、電池収納部23にバッテリ12を装着し、このバッテリ12から電子カメラ11に電源を供給する。これに対し、電子カメラ11を室内で使用するときは、開閉蓋26を開いて電池収納部23内からバッテリ12を取り出し、バッテリ12に代って交流電源用アダプタのプラグ31を、図２で示すように電池収納部23内に装着する。
【００２６】
このとき、プラグ31の装着方向は、図６および図７で示すように、突部33が電池収納部23内の孔24a 側に位置するように決める。この状態でプラグ31を電池収納部23内に装着すると、突部33が孔24a 内の作動子28a を押圧してスイッチ28を動作させる。このスイッチ28の動作により電子カメラ11はプラグ31が装着されたことを検出し、対応するモードに切り換わる。
【００２７】
そして、図示しない交流電源用アダプタから供給される電源を、バッテリ12と同様の位置に設けたプラグ31の端子から、電池収納部23に設けた図示しない電池端子を介して電子カメラ11に供給する。したがって、従来例のように、交流電源用アダプタに対するジャックを設ける必要はなく、電子カメラ11の本体部形状をより小形化できる。
【００２８】
また、プラグ31の装着後、開閉蓋26を閉じる。プラグ31は電源線32との接続部35を有するため、開閉蓋26を図３で示すように完全に閉じないが、図１で示すように、開閉蓋26の端部を接続部35に設けた係合部36に弾性係合させることにより、開閉蓋26は電池収納部23内に装着されたプラグ31を覆った状態で係止される。このため、プラグ31は開閉蓋26により電池収納部23内に保持され、この電池収納部23からの脱落が防止される。
【００２９】
ここで、電池収納部23に設けたスイッチ28用の孔24a とこの孔24a に対応するプラグ31側の突部33の位置を、プラグ31の長さ方向中心に対してたとえば上側に偏心した独自の位置に設定しているので、プラグ31の電池収納部23への装着時、逆装着を確実に防止できる。また、この設定位置が独自の位置であるため、同形のバッテリを用いる他の製品への誤装着を防止でき、誤装着に起因するトラブルを未然に防止できる。
【００３０】
また、突部33と孔24a およびスイッチ28との位置は、上述したような上下方向へ偏位した位置に限らず、電子カメラ11の正面側あるいは背面側の方向に偏位した位置など、プラグ31を逆装着したときに突部33が孔24a を挿通しない位置関係にあればよい。
【００３１】
なお、図８および図９で示すように、開閉蓋26の端部の内側角部26a を角取りすれば係合部36との係合操作が容易になる。また、この開閉蓋26の端部の外側角部26b と係合部36の内側角部36a とを図示のようにフック状にすることにより、係合部36と開閉蓋26との両者間の係合をより確実にできる。
【００３２】
また、電気機器の一例として電子カメラ11を示したが電子カメラ11に限定されるものではなく、バッテリ12を用いる電気機器全般に適用可能である。
【００３３】
【発明の効果】
請求項１記載の電気機器の電源装置によれば、電池収納部の開閉蓋を閉じてプラグ側に設けた係合部に係合させることにより、開閉蓋を閉状態に係止できるとともに、プラグの脱落を防止できる。
【００３４】
請求項２記載の電気機器の電源装置によれば、プラグを電池収納部に収納したときに、このプラグに設けた作動部によりスイッチを作動させてプラグが装着されたことを検出するとともに、他の規格のアダプタの排除や逆装着を防止できる。
【図面の簡単な説明】
【図１】本発明の電気機器の電源装置の一実施の形態のアダプタのプラグを装着して開閉蓋を閉塞した状態を示す断面図である。
【図２】同上アダプタのプラグを装着して開閉蓋を開成した状態を示す断面図である。
【図３】同上バッテリを装着した状態を示す断面図である。
【図４】同上バッテリを装着する前の状態を示す正面図である。
【図５】同上バッテリを装着した状態を示す正面図である。
【図６】同上アダプタのプラグを装着する前の状態を示す正面図である。
【図７】同上アダプタのプラグを装着した状態を示す正面図である。
【図８】同上電気機器の電源装置の他の実施の形態のアダプタのプラグを装着して開閉蓋を閉塞した状態を示す断面図である。
【図９】同上アダプタのプラグを装着して開閉蓋を開成した状態を示す断面図である。
【図１０】従来例の電気機器の電源装置のバッテリおよびプラグを装着する前の状態を示す正面図である。
【図１１】同上バッテリおよびプラグを装着した後の状態を示す正面図である。
【符号の説明】
11    電気機器である電子カメラ
12    電池であるバッテリ
23    電池収納部
26    開閉蓋
28    スイッチ
31    プラグ
33    作動部としての突部
36    係合部
【図１】
0003662062.tif 000002
【図２】
0003662062.tif 000003
【図３】
0003662062.tif 000004
【図４】
0003662062.tif 000005
【図５】
0003662062.tif 000006
【図６】
0003662062.tif 000007
【図７】
0003662062.tif 000008
【図８】
0003662062.tif 000009
【図９】
0003662062.tif 000010
【図１０】
0003662062.tif 000011
【図１１】
0003662062.tif 000012